(57)【要約】【課題】排ガスの風量や温度等の条件にかかわらず、排ガス気流を分散して集中箇所をなくすとともに、排ガスの滞留時間を減らして、濾布や本体の寿命を延命化することができるバグフィルタ装置を提供すること。【解決手段】ガス入口４に連通する下部領域５とガス出口６に連通する上部領域７とを袋状の濾布１により仕切り、下部領域５に導入した排ガス中の粉塵を濾布１で捕集するとともに、除塵した排ガスをガス出口６から外部に排出するようにしたバグフィルタ装置において、下部領域５のガス導入部に、風向板３１と、風向板３１を常時駆動しその向きを変える風向板駆動機構とからなる可動式ルーバ装置３を設ける。【選択図】図１
2007209840.tif 000002
【特許請求の範囲】
【請求項１】
ガス入口に連通する下部領域とガス出口に連通する上部領域とを袋状の濾布により仕切り、下部領域に導入した排ガス中の粉塵を濾布で捕集するとともに、除塵した排ガスをガス出口から外部に排出するバグフィルタ装置において、下部領域のガス導入部に、風向板と、該風向板を駆動しその向きを変える風向板駆動機構とからなる可動式ルーバ装置を設けたことを特徴とするバグフィルタ装置。
【請求項２】
前記可動式ルーバ装置を、導入する排ガスの風量条件によって、風向板の駆動速度を変えるように構成したことを特徴とする請求項１記載のバグフィルタ装置。
【発明の詳細な説明】
【技術分野】
【０００１】
本発明は、バグフィルタ装置に関し、特に、いかなる排ガスの風量や温度等の条件においても、排ガス気流を分散して集中箇所をなくすとともに、排ガスの滞留時間を減らして、濾布や本体の寿命を延命化することができるバグフィルタ装置に関するものである。
【背景技術】
【０００２】
バグフィルタ装置は、例えば、ごみ焼却場などの排ガスを濾布で除塵するために使用されている。
このバグフィルタ装置は、ガス入口に連通する下部領域とガス出口に連通する上部領域とが袋状の濾布により仕切られ、ガス入口から下部領域に導入された排ガスが濾布を通過する際に、この濾布で排ガス中の粉塵を捕集し、この除塵された排ガスを上部領域からガス出口を介して外部に排出する。
【０００３】
また、このようなバグフィルタ装置においては、各々の袋状濾布の開放端に対向して設置される噴射管を備えており、この噴射管に接続された噴射バルブを開放し、噴射管に設けられた噴射口から圧縮空気を所定の時間毎に瞬間的に噴射することにより濾布を逆洗し、この濾布に付着堆積した粉塵を周期的に払い落とすようにしている。
【０００４】
ところで、このようなバグフィルタ装置では、内部で排ガスに偏流があれば、濾布が破損したり、粉塵によって本体が摩耗したりする等のトラブルを生じるおそれがあるため、ダクトの取り回しや口径設計の適正化を図ったり、流体解析にて固定式の整流板を設置するようにしている（例えば、特許文献１参照）。
しかしながら、導入する排ガスの風量や温度等の条件によっては、整流板の効果にも変化が生じることから、排ガスの気流が一部に集中したりすることがあり、濾布や本体が損耗するという問題があった。
【特許文献１】特開昭６４−１１６１９号公報
【発明の開示】
【発明が解決しようとする課題】
【０００５】
本発明は、上記従来のバグフィルタ装置が有する問題点に鑑み、排ガスの風量や温度等の条件にかかわらず、排ガス気流を分散して集中箇所をなくすとともに、排ガスの滞留時間を減らして、濾布や本体の寿命を延命化することができるバグフィルタ装置を提供することを目的とする。
【課題を解決するための手段】
【０００６】
上記目的を達成するため、本発明のバグフィルタ装置は、ガス入口に連通する下部領域とガス出口に連通する上部領域とを袋状の濾布により仕切り、下部領域に導入した排ガス中の粉塵を濾布で捕集するとともに、除塵した排ガスをガス出口から外部に排出するバグフィルタ装置において、下部領域のガス導入部に、風向板と、該風向板を駆動しその向きを変える風向板駆動機構とからなる可動式ルーバ装置を設けたことを特徴とする。
【０００７】
この場合において、前記可動式ルーバ装置を、導入する排ガスの風量条件によって、風向板の駆動速度を変えるように構成することができる。
【発明の効果】
【０００８】
本発明のバグフィルタ装置によれば、ガス入口に連通する下部領域とガス出口に連通する上部領域とを袋状の濾布により仕切り、下部領域に導入した排ガス中の粉塵を濾布で捕集するとともに、除塵した排ガスをガス出口から外部に排出するバグフィルタ装置において、下部領域のガス導入部に、風向板と、該風向板を駆動しその向きを変える風向板駆動機構とからなる可動式ルーバ装置を設けることから、導入する排ガスの風量や温度等の条件が変わっても、可動式ルーバ装置の風向板が常に駆動することにより排ガスの気流を変動させながら分散させることができ、これにより、排ガス気流の集中箇所をなくすとともに、排ガスの滞留時間を減らして、濾布や本体の寿命を延命化することができる。
【０００９】
また、前記可動式ルーバ装置を、導入する排ガスの風量条件によって、風向板の駆動速度を変えるように構成することにより、排ガスの風量が極端に増加した場合でも、風向板の駆動速度を速めることにより、排ガス気流を増加した風量に応じて変動させさせながら分散させることができ、排ガスの局所的な集中を防止することができる。
【発明を実施するための最良の形態】
【００１０】
以下、本発明のバグフィルタ装置の実施の形態を、図面に基づいて説明する。
【実施例１】
【００１１】
図１〜図２に、本発明のバグフィルタ装置の一実施例を示す。
このバグフィルタ装置は、ガス入口４に連通する下部領域５とガス出口６に連通する上部領域７とを袋状の濾布１により仕切り、下部領域５に導入した排ガス中の粉塵を濾布１で捕集するとともに、除塵した排ガスをガス出口６から外部に排出するようにしている。
そして、このバグフィルタ装置は、下部領域５のガス導入部に、風向板３１と、風向板３１を常時駆動しその向きを変える風向板駆動機構とからなる可動式ルーバ装置３を設けている。
【００１２】
バグフィルタ装置は、各々の袋状濾布１の開放端に対向して設置される噴射管２を備えており、この噴射管に接続された噴射バルブ２１を開放し、噴射管に設けられた噴射口から圧縮空気を所定の時間毎に瞬間的に噴射することにより濾布１を逆洗し、この濾布１に付着堆積した粉塵を下のスクリューコンベア８に周期的に払い落とすようにしている。
【００１３】
可動式ルーバ装置３は、図２（ａ）、（ｂ）に示すように、例えば、ガス導入部の管路の一部に設けた筒体３２と、この筒体３２の内部に平行に軸支した複数の風向板３１と、これらの風向板３１を常時駆動しその向きを変えるモータ等の駆動機構（図示省略）とを備えるようにする。
また、可動式ルーバ装置３は、図２（ｃ）、（ｄ）に示すように、例えば、ガス導入部の管路の一部を回転可能な筒体３２によって構成するとともに、この筒体３２の内部に複数の風向板３１を固設し、この筒体３２を常時回転させることによって風向板３１を駆動しその向きを変えるようにすることもできる。
また、これらの可動式ルーバ装置３は、導入する排ガスの風量条件を計測し、その計測値によって、風向板３１の駆動速度を変えるように制御することもできる。
これにより、例えば、排ガスの風量が極端に増加した場合でも、風向板３１の駆動速度を速めることにより、排ガス気流を増加した風量に応じて変動させながら分散させることができ、排ガスの局所的な集中を防止するとともに、局所的に当たる箇所での排ガスの滞留時間を減らすことができる。
【００１４】
図３〜図４に、本実施例のように可動式ルーバ装置を設けた例Ａと、設けない例Ｂにおける排ガスの風速分布を示す。
本実施例のように可動式ルーバ装置３を設ける例Ａでは、駆動する風向板３１によって気流が常に変動するため、排ガスの風速が強い部分が時間と共に移動し、濾布１や本体に分散して当てることができる。
これに対し、従来のように可動式ルーバ装置を設けない例Ｂでは、排ガスの風速が強い部分は、図の状態から動くことがないため、排ガスの気流が一部に集中することになり、濾布や本体が損耗しやすくなる。
【００１５】
かくして、本実施例のバグフィルタ装置は、ガス入口４に連通する下部領域５とガス出口６に連通する上部領域７とを袋状の濾布１により仕切り、下部領域５に導入した排ガス中の粉塵を濾布１で捕集するとともに、除塵した排ガスをガス出口６から外部に排出するバグフィルタ装置において、下部領域５のガス導入部に、風向板３１と、該風向板３１を駆動しその向きを変える風向板駆動機構とからなる可動式ルーバ装置３を設けることから、導入する排ガスの風量や温度等の条件が変わっても、可動式ルーバ装置３の風向板３１が常に駆動することにより排ガスの気流を変動させながら分散させることができ、これにより、排ガス気流の集中箇所をなくすとともに、排ガスの滞留時間を減らして、濾布１や本体の寿命を延命化することができる。
また、導入する排ガスの風量条件によって、風向板３１の駆動速度を変えるように構成することにより、排ガスの風量が極端に増加した場合でも、風向板３１の駆動速度を速めることにより、排ガス気流を増加した風量に応じて変動させながら分散することができ、排ガスの局所的な集中を防止することができる。
【００１６】
以上、本発明のバグフィルタ装置について、その実施例に基づいて説明したが、本発明は上記実施例に記載した構成に限定されるものではなく、その趣旨を逸脱しない範囲において適宜その構成を変更することができる。
【産業上の利用可能性】
【００１７】
本発明のバグフィルタ装置は、いかなる排ガスの風量や温度等の条件においても、排ガス気流を分散して集中箇所をなくすとともに、排ガスの滞留時間を減らして、濾布や本体の寿命を延命化することができるという特性を有していることから、例えば、排ガスの風量や温度等の条件が変化するごみ焼却場などのバグフィルタ装置の用途に好適に用いることができる。
【図面の簡単な説明】
【００１８】
【図１】本発明のバグフィルタ装置の一実施例を示す断面図である。
【図２】同バグフィルタ装置の可動式ルーバ装置を示し、（ａ）その第１実施例の正面図、（ｂ）は同平面断面図、（ｃ）その第２実施例の正面図、（ｄ）は同平面断面図である。
【図３】可動式ルーバ装置を設けた例（下部）と、設けない例（上部）における排ガスの風速分布を示す平面断面図である。
【符号の説明】
【００１９】
１    濾布
２    噴射管
２１  噴射バルブ
３    可動式ルーバ装置
３１  風向板
３２  筒体
４    ガス入口
５    下部領域
６    ガス出口
７    上部領域
８    スクリューコンベア
９    ケーシング
【図１】
2007209840.tif 000003
【図２】
2007209840.tif 000004
【図３】
2007209840.tif 000005